(57)【要約】【課題】光ディスク装置のシャーシに基板取付け用ボスを形成する際の部品数を低減し、シャーシ後端のコーナー部にボスを設ける場合でもシャーシ強度を向上させること。【解決手段】トレイ２を収納し、信号処理や制御用の基板を搭載するシャーシ３において、シャーシ３の後端のコーナー部３３にはシャーシの底板３１と一体に絞り加工にて形成したボス７ａを有し、ボス７ａとシャーシの側板３２との間隙には、シャーシ側板３２の一部を折り曲げて形成した補強部８１，８２を有する。そして、シャーシに搭載する基板５はボス７ａにネジ８により固定する。【選択図】図２
2010108573.tif 000002
【特許請求の範囲】
【請求項１】
光ディスクに情報を記録再生する光ディスク装置において、
上記光ディスクを装着し、情報を記録再生する光ヘッドや上記光ディスクを回転させるスピンドルモータが組み込まれたトレイと、
上記トレイを収納し、信号処理や制御用の基板を搭載するシャーシとを備え、
上記シャーシの後端のコーナー部に上記シャーシの底板と一体に形成したボスを有し、
該ボスと上記シャーシの側板との間隙には、該シャーシ側板の一部にて形成した補強部を有し、
上記シャーシに搭載する基板は上記ボスにネジにより固定されていることを特徴とする光ディスク装置。
【請求項２】
請求項１に記載の光ディスク装置において、
前記シャーシに搭載する基板の端部には、装置外部との信号伝送用のコネクタを有し、
該コネクタは前記シャーシのコーナー部に配置され、前記シャーシの側板の一部に設けられた開口部に取り付けられていることを特徴とする光ディスク装置。
【請求項３】
光ディスクに情報を記録再生する光ディスク装置の製造方法において、
上記光ディスクを装着したトレイを収納するシャーシに、信号処理や制御用の基板を搭載する場合、
上記シャーシの後端のコーナー部に上記シャーシの底板を絞り加工することでボスを形成し、
上記シャーシの側板の一部を折り曲げて上記ボスと上記シャーシの側板との間隙を補強し、
上記シャーシに搭載する基板を上記ボスにネジ締めにより固定することを特徴とする光ディスク装置の製造方法。
【発明の詳細な説明】
【技術分野】
【０００１】
本発明は、光ディスクに情報を記録再生する光ディスク装置及び光ディスク装置の製造方法に関するものである。
【背景技術】
【０００２】
光ディスクを記録媒体として情報を記録再生する光ディスク装置は、パーソナルコンピュータ（パソコン）などに組み込まれて記録装置の一つとして広く用いられている。一般の光ディスク装置は、光ディスクをトレイに取り付けて筐体（シャーシ）に差し込んで装着する構造となっている。移動するトレイには光ディスクに情報を記録再生する光ヘッドやスピンドルモータが組み込まれ、また信号処理や制御のための各種基板はトレイまたはシャーシに搭載されている。そして、各基板はシャーシに形成されたボスにネジ締めなどにより固定される。
【０００３】
パソコンの小型化に伴い、これに組み込む光ディスク装置には、サイズの薄型化、軽量化が要求される。光ディスク装置の軽量化のために、シャーシには金属薄板材が使用される。一方シャーシには、基板を所定の精度で取り付けるとともに移動するトレイを安定に保持するために、機械的強度が高いことが要求される。
【０００４】
これに関連する技術として、特許文献１では、筐体の軽量化と強度の確保の両立を図ることを目的として、筐体のコーナー部が、隣り合う面との境界線が全て略並行である連続した少なくとも３つの面で構成した構造が開示される。これにより、筐体の曲げ加工部に割れや亀裂を発生することがなくなると述べられている。
【０００５】
また特許文献２では、シャーシには基板を載置固定する第１、第２のボスを備え、第１のボスの端面は基板の貫通穴に係合するピン部を備え、第２のボスのネジ締め可能な端面よりも高くした構造が開示される。これにより、基板をボスにネジ締めする箇所を削減し、シャーシに歪みが発生した場合であっても第１のボスのピン部と基板の係合が解除されることを防止すると述べている。
【０００６】
【特許文献１】特開２００６−３２３９５８号公報
【特許文献２】特開２００４−３３５６７８号公報
【発明の開示】
【発明が解決しようとする課題】
【０００７】
シャーシ内の基板取付け用ボス位置は、光ディスク装置の用途によって相違する。従来の機種では、シャーシ後端のコーナー部にボスを設ける例は少なかったが、今後は増加することが予想される。例えば、シリアルＡＴＡインタフェースを採用したノート型パソコンの場合は、シリアルＡＴＡ基板のコネクタがシャーシ後端のコーナー部に配置される。そして、コネクタにかかる外力から基板を保護するために、シャーシ後端のコーナー部においてもボスを設ける必要がある。
【０００８】
シャーシに基板を取り付けるための代表的なボス構造を図面で説明する。
図３は、シャーシにカシメボス７１を形成して基板をネジ止めする構造（比較例１）である。すなわち、シャーシ底板３１に穴７１ａを開け、別途用意したボス部品７１ｂを挿入して接合部をカシメ加工して一体化させたものである。このカシメボス７１の構造では、周囲のシャーシ側板３２などの形状に影響することが少なく、強度を確保することができる。しかし、別途ボス部品７１ｂを用いるので部品数が増え、作業も複雑になる。また、複数個のカシメボスを形成する場合、各ボスの上面の高さがばらつき易く、基板の取付け精度が悪化する恐れがある。
【０００９】
図４は、シャーシに絞りボス７２を形成して基板をネジ止めする構造（比較例２）である。すなわち、シャーシ底板３１を金型を用いて絞り加工して中心に穴７２ａの開いた隆起部７２ｂを形成し、絞りボス７２とするものである。絞り加工によれば、ボス部品を別途用いる必要がなく、また複数のボスを均一に形成することができる。ボス位置がシャーシ側板３２から離れていれば、隆起部７２ｂを周囲のシャーシ材と連続的に所定の形状で形成できる。しかし、ボス位置がシャーシ側板３２に近い場合（特にシャーシのコーナー部に位置する場合）は、隆起部７２ｂとシャーシ側板３２との干渉をなくするため、それらの境界にスリット９１，９２を入れて絞り加工を行う。このため、絞りボス７２に近いシャーシ材には不連続部（隙間）が残るので、シャーシ側板３２の強度が弱くなってしまう。特にコーナー部では、シャーシ側板３２にコネクタ用の開口部３５を設けるので側板の高さ寸法が減少して、強度がより弱くなるという問題がある。
【００１０】
本発明の目的は、上記課題に鑑み、光ディスク装置のシャーシに基板取付け用ボスを形成する際の部品数を低減し、シャーシ後端のコーナー部にボスを設ける場合でもシャーシ強度を向上させることである。
【課題を解決するための手段】
【００１１】
本発明による光ディスク装置は、光ディスクを装着し、情報を記録再生する光ヘッドや光ディスクを回転させるスピンドルモータが組み込まれたトレイと、トレイを収納し、信号処理や制御用の基板を搭載するシャーシとを備え、シャーシの後端のコーナー部にはシャーシの底板と一体に形成したボスを有し、ボスとシャーシの側板との間隙には、シャーシ側板の一部にて形成した補強部を有し、シャーシに搭載する基板はボスにネジにより固定されている。
【００１２】
本発明による光ディスク装置の製造方法は、光ディスクを装着したトレイを収納するシャーシに信号処理や制御用の基板を搭載する場合、シャーシの後端のコーナー部にシャーシの底板を絞り加工することでボスを形成し、シャーシの側板の一部を折り曲げてボスとシャーシの側板との間隙を補強し、シャーシに搭載する基板をボスにネジ締めにより固定する。
【発明の効果】
【００１３】
本発明によれば、光ディスク装置のシャーシ後端のコーナー部にボスを設けて基板を取り付ける場合でも、部品数を増加させずにシャーシ強度を確保することができる。
【発明を実施するための最良の形態】
【００１４】
図１は、本発明による光ディスク装置の一実施例を示す外観図である。（ａ）はシャーシに基板を取り付けた状態、（ｂ）はシャーシから基板を取り外した状態である。
１は光ディスク装置、２はトレイ、３はシャーシであり、トレイ２をシャーシ３から引き出した状態である。トレイ２はレール４に沿ってスライドしシャーシ３に収納される。トレイ２には、光ディスク（図示せず）を載置するディスク装着部２１、光ディスクを回転させるスピンドルモータ２２、光ディスクに情報を記録再生する光ヘッド２３を備える。シャーシ３は底板３１、側板３２、及び図示しない上板で囲んだ箱型構造となっている。
【００１５】
（ａ）のように、シャーシ３の奥行き方向後端には基板５が配置され、ネジ８にてシャーシ底板３１に形成したボス７に取り付けられる。この基板５は、例えばシリアルＡＴＡインタフェース用のもので、フレキシブルケーブル６にてトレイ２内の図示しない他の基板に接続する。また基板５の端部には、外部のパソコンと接続し信号伝送するためのコネクタ５１を有する。このコネクタ５１は、シャーシ後端のコーナー部３３に配置される。
【００１６】
（ｂ）は基板５を取り外した状態であり、シャーシ３の底板３１には基板５を取り付けるための複数個のボス（絞りボス）７が形成されている。特にボス７ａはコーナー部３３に設けたものである。これらのボスは、後述するように絞り加工にて形成したものである。また、シャーシ側板３２にはコネクタ５１の開口部３５を設けているため、コーナー部のシャーシ側板３２の高さが低くなり、その強度が弱くなり易い。そこで、コーナー部に位置し基板５のコネクタ５１を保持するボス７ａについては、絞り加工とともに近傍のシャーシ側板３２を補強する構造とした。
【００１７】
図２は、本実施例の光ディスク装置のコーナー部３３の構造を拡大して示す図である。（ａ）はトップ側、（ｂ）はボトム側から見た図で、基板５を取り外した状態である。
絞りボス７ａはシャーシ後端のコーナー部３３に形成している。そして、絞り加工の前に形成したスリット９１，９２の部分（図４参照）を、シャーシ側板３２延長部材を折り曲げて充填するように加工した。充填による補強部を符号８１，８２で示す。補強部８１，８２は、周囲のシャーシ材と連続的に繋がる形状とするのが好ましい。よって、必要に応じて折り曲げ部の形状を整形する。また、補強部と周囲のシャーシ材との接続部においては、カシメ加工などにより一体化することが好ましい。これにより、開口部３５近傍のシャーシ側板３２とのスリット９１，９２（不連続部）がなくなる。
【００１８】
本実施例のボス形成は次のように行う。シャーシ材として例えば板厚が約０．５ｍｍのアルミ板を用いる。まず、ボス形成予定位置とシャーシ側板３２との境界部に細いスリットを入れる。シャーシ底板３１を金型を用いて絞り加工して中心に穴の開いた隆起部を形成し、絞りボス７ａとする。絞りボス７ａの隆起部の直径は５〜６ｍｍ、底板３１からの高さは２〜３ｍｍである。加工後の絞りボスの形状は、使用する金型により一義的に決定されるので、多数個形成してもバラツキが少なく高さが均一になる。次に、側板３２の延長部材を底板３１（絞りボス７ａ）側に折り曲げて、絞りボス７ａとの間隙を埋めるように補強部８１，８２を形成する。補強部８１，８２と周囲のシャーシ材３１，３２との接続部は、カシメ加工などにより一体化する。
【００１９】
本実施例のボス構造によれば、絞りボス近傍に補強部を設けたことにより、コーナー部におけるシャーシ側板３２の強度を向上させることができる。また、補強部はシャーシ材の一部を利用するものであるから、新たな部品を必要とせず、容易に製造できる。
【００２０】
本実施例の光ディスク装置によれば、シャーシ後端のコーナー部に基板やコネクタを配置してボスにて取り付ける場合、シャーシ側板の高さが小さくてもその強度を確保することができる。また、形成するボスの高さは均一で精度が高いので、基板やコネクタの取付け精度が高く、装置の信頼性を向上させることができる。
【図面の簡単な説明】
【００２１】
【図１】本発明による光ディスク装置の一実施例を示す外観図。
【図２】光ディスク装置のコーナー部３３の構造を拡大して示す図。
【図３】カシメボス７１により基板をネジ止めする構造（比較例１）。
【図４】絞りボス７２により基板をネジ止めする構造（比較例２）。
【符号の説明】
【００２２】
１…光ディスク装置
２…トレイ
３…シャーシ
３１…シャーシ底板
３２…シャーシ側板
３３…コーナー部
３５…開口部
５…基板
５１…コネクタ
７，７ａ…絞りボス
８１，８２…補強部
９１，９２…スリット。
【図１】
2010108573.tif 000003
【図２】
2010108573.tif 000004
【図３】
2010108573.tif 000005
【図４】
2010108573.tif 000006